Podtech/llm-jp-corpus-v4-ja_patent huggingface dataset:
【手続補正書】
【提出日】平成17年3月18日(2005.3.18)
【手続補正１】
【補正対象書類名】明細書
【補正対象項目名】特許請求の範囲
【補正方法】変更
【補正の内容】
【特許請求の範囲】
【請求項１】
表示部と入力部とを備える情報機器を含む情報処理システムであって、
さらに、前記情報機器上で動作する第１アプリケーションと該第１アプリケーションと関連し前記情報機器上で動作する第２から第ｎ（ｎは２以上の整数）までのアプリケーションとを連携して動作させる制御部であって、前記第１アプリケーションにより前記表示部に表示されているデータ中の特定のデータを前記入力部により選択すると、前記第２から第ｎまでのアプリケーションのうちから選択された少なくとも１つのアプリケーション名を表示するアプリケーションメニューを前記表示部に表示するアプリケーションメニュー表示機能を有する制御部を備えた情報処理システム。
【請求項２】
前記アプリケーションメニューは、前記特定のデータに基づいてそれと関連するアプリケーションとして推測されたアプリケーション名を表示するリストであって、該リスト中から所望のアプリケーションを起動させることができるリストである請求項１に記載の情報処理システム。
【請求項３】
さらに、前記特定のデータを記憶するデータ記憶部を備え、前記制御部は、前記アプリケーションメニューから起動した前記所望のアプリケーションにより前記表示部に表示されたデータに対して、前記データ記憶部に記憶された前記特定のデータを貼り付ける機能を有する請求項１又は２に記載の情報処理システム。
【請求項４】
前記第１アプリケーション上において、前記表示部に表示させるデータを外部から受け取るデータ受信部を有している請求項１から３までのいずれか１項に記載の情報処理システム。
【請求項５】
前記特定のデータは、前記第１アプリケーションに添付されている添付データである請求項１から４までのいずれか１項に記載の情報処理システム。
【請求項６】
前記制御部は、前記特定のデータを選択した際に前記アプリケーションメニューを自動的に表示させる請求項１から５までのいずれか１項に記載の情報処理システム。
【請求項７】
前記制御部は、前記特定のデータを選択した後に特定の操作を行うことにより、前記アプリケーションメニューを表示させる請求項１から５までのいずれか１項に記載の情報処理システム。
【請求項８】
表示部と入力部とを含み、電子メールアプリケーションを含む複数のアプリケーションが動作する情報機器であって、
電子メールを外部から受信する電子メール受信部と、
該電子メール受信部により外部から受信した電子メールデータを記憶する電子メールデータ記憶部と、
前記表示部に表示された電子メールデータ中の特定のデータが前記入力部により選択されることに応じて、前記アプリケーション中から起動させることができるアプリケーション名を表示するアプリケーションメニュー表示機能と、前記アプリケーションメニューから前記所望のアプリケーションを選択して該所望のアプリケーションを起動させるアプリケーション切り替え機能と、前記特定データを前記所望のアプリケーションのデータ記憶部にペーストするデータ張り付け機能とを有する制御部とを備えた情報処理システム。
【請求項９】
さらに、前記選択された特定データを記憶するクリップボードデータ記憶部を有し、前記選択された特定のデータを汎用的に利用できるクリップボードを備えた請求項８に記載の情報処理システム。
【請求項１０】
前記第１アプリケーションは、電子メールアプリケーションと、インターネットブラウジングアプリケーションと、予定表アプリケーションと、連絡先アプリケーションと、約束リストアプリケーションと、メモアプリケーションと、ユーザ辞書アプリケーションとの中から選択されるいずれかのアプリケーションである請求項１から７までのいずれか１項に記載の情報処理システム。
【請求項１１】
前記第１から第ｎまでのアプリケーションは、電子メールアプリケーションと、インターネットブラウジングアプリケーションと、予定表アプリケーションと、連絡先アプリケーションと、約束リストアプリケーションと、メモアプリケーションと、ユーザ辞書アプリケーションとの中から選択されるいずれかのアプリケーションである請求項１から７までのいずれか１項に記載の情報処理システム。
【請求項１２】
表示部と入力部とを備える情報機器上で動作する第１アプリケーションを動作させるステップと、
前記第１アプリケーションにより前記表示部に表示されているデータ中の特定のデータを前記入力部により選択するステップと、
該特定のデータを選択した際に、前記情報機器上で動作する第２から第ｎ（ｎは２以上の整数）までのアプリケーションのうちから選択された少なくとも１つのアプリケーション名を表示するアプリケーションメニューに表示させるステップとを情報機器に行わせるためのプログラム。
【手続補正書】
【提出日】平成16年7月20日(2004.7.20)
【手続補正１】
【補正対象書類名】明細書
【補正対象項目名】００５０
【補正方法】変更
【補正の内容】
【００５０】
本実施の形態において、一括転写装置１３０は、図６に示すように、中間転写ベルト１２０のトナー担持面側に圧接配置される二次転写ロール１２５と、中間転写ベルト１２０の裏面側に配置されて二次転写ロール１２５の対向電極をなすバックアップロール１２８とを備えており、このバックアップロール１２８には、トナーの帯電極性と同極性のバイアスが安定的に印加される金属製の給電ロール１２９が当接配置されている。
尚、符号１２８ａはバックアップロール１２８の回転軸、１２５ａは二次転写ロール１２５の回転軸である。本実施の形態では、前記回転軸１２５ａを介して二次転写ロール１２５を設置するようになっている。
【手続補正２】
【補正対象書類名】明細書
【補正対象項目名】００５１
【補正方法】変更
【補正の内容】
【００５１】
また、本実施の形態に係る転写バイアス制御系は、二次転写位置の下流側に中間転写ベルト１２０上に形成された基準位置検出用の突起１２０ａを検知するベルト検知位置センサ１５１を設置し、このベルト位置検知センサ１５１からの出力及び画像サイズ等の画像形成信号を転写バイアス制御装置１６１に取り込み、この転写バイアス制御装置１６１では、前記検知結果から、中間転写ベルト１２０状の画像転写領域及び画像非転写領域を特定し、スイッチ１７１によって転写バイアスを印加するための転写バイアス電源１８１及び逆転写バイアスを印加する逆転写バイアス電源１８２を適宜切り換えるようにしたものである。
【手続補正書】
【提出日】平成16年8月27日(2004.8.27)
【手続補正１】
【補正対象書類名】明細書
【補正対象項目名】請求項３
【補正方法】変更
【補正の内容】
【請求項３】
前記鮮鋭度特性の測定を、ＣＴＦ，ＭＴＦの測定により行う請求項２に記載の画像表示装置。
【手続補正２】
【補正対象書類名】明細書
【補正対象項目名】００２２
【補正方法】変更
【補正の内容】
【００２２】
以下、上記実施例におけるＣＴＦ，ＭＴＦ算出の具体的な処理の手順を、図８に示す処理フロー図に基づいて説明する。なお、ここでは、前述のように、矩形波パターンを例に挙げて説明する。
まず、図９に示すように、表示装置の表示部２０の全面に以下の順序で、テストパターンを表示させる。
【手続補正３】
【補正対象書類名】明細書
【補正対象項目名】００３４
【補正方法】変更
【補正の内容】
【００３４】
図１１は、ＣＴＦ，ＭＴＦ算出の他の実施例に係る処理フロー図である。
本実施例においては、予定した全てのパターンのデータ取得が終了したら、このデータを画像処理部１８に送り、ここで、各パターンについて、前述のＬ，Ｈ値およびｈ，ｌ値を求める処理以降のデータ処理を、一括して行うようにしたものである。
【手続補正４】
【補正対象書類名】明細書
【補正対象項目名】００４０
【補正方法】変更
【補正の内容】
【００４０】
さらに、表示装置の設置時に行った検査結果のデータ（イニシャルデータ）を、前記データ記憶部１５に記憶しておき、設置後、所定期間経過後に行った検査結果のデータを取得したときに、これを上述のイニシャルデータと合わせて出力するようにすれば、表示装置の設置後における、鮮鋭度の経時的な変化の大小を簡単に知ることもできる。
【手続補正書】
【提出日】平成16年2月23日(2004.2.23)
【手続補正１】
【補正対象書類名】明細書
【補正対象項目名】特許請求の範囲
【補正方法】変更
【補正の内容】
【特許請求の範囲】
【請求項１】
撮像により検出した各画素ごとの所定の特性のデータにつき、所定の区分に含む複数の画素に対応した一組のデータずつをそれぞれ１つのデータに圧縮する画素データ圧縮方法であって、
一組の各データをコントラスト増強処理をして圧縮し、前記コントラスト増強処理は、実測された各データに対応して設定した実測基準値と、特性の階調に対応して設定した特性基準値とを用い、一組のデータはそれぞれの実測基準値との差である基準濃度差を互いに加算することで１つのコントラストデータとし、得られたコントラストデータに特性基準値を加算して圧縮データとすることを特徴とする画素データ圧縮方法。
【請求項２】
撮像により検出した各画素ごとの所定の特性のデータにつき、所定の区分に含む複数の画素に対応した一組のデータずつを、それぞれコントラスト増強処理をして１つのデータに圧縮し、この圧縮した各圧縮データをそれらに対応した各圧縮画素位置に倣った配列の圧縮画像データに合成し、この合成した圧縮画像データを判定基準データと比較して各圧縮画素ごとに特性の欠陥を判定し検出する表面の検査方法であって、
コントラスト増強処理は、実測された各データに対応して設定した実測基準値と、特性の階調に対応して設定した特性基準値とを用い、一組のデータはそれぞれの実測基準値との差である基準濃度差を互いに加算することで１つのコントラストデータとし、得られたコントラストデータに特性基準値を加算して圧縮データとすることを特徴とする表面の検査方法。
【請求項３】
表面を構成する各画素ごとの所定の特性を撮像して検出する検出手段と、検出された各データを各画素の配列に対応する縦横番地をもって取り扱えるように記憶する記憶手段と、記憶手段に記憶された各画素データにつき実測された各データに対応して設定した実測基準値との差を基準濃度差として演算する基準濃度差生成手段と、各画素データについての前記基準濃度差を所定の区分に含む複数の画素に対応した一組のものずつをそれぞれ加算し合って１つのコントラストデータとし、得られたコントラストデータに特性基準値を加算して前記複数画素に対応した１つの圧縮データとし、この圧縮した各圧縮データをそれらに対応した各圧縮画素位置に倣った配列の圧縮画像データに合成する圧縮画像合成手段と、合成された前記圧縮画像データを基準データと比較して各圧縮画素ごとの特性の欠陥を判定し検出する欠陥判定手段とを備えたことを特徴とする表面の検査装置。
【手続補正２】
【補正対象書類名】明細書
【補正対象項目名】００１１
【補正方法】変更
【補正の内容】
【００１１】
そして本発明の画素データ圧縮方法は、前記コントラスト増強処理が、実測された各データに対応して設定した実測基準値と、特性の階調に対応して設定した特性基準値とを用い、一組のデータはそれぞれの実測基準値との差である基準濃度差を互いに加算し合って１つのコントラストデータとし、得られたコントラストデータに特性基準値を加算して１つの圧縮データとすることを特徴とする。
【手続補正書】
【提出日】平成17年8月11日(2005.8.11)
【手続補正１】
【補正対象書類名】明細書
【補正対象項目名】００２３
【補正方法】変更
【補正の内容】
【００２３】
図１を参照して、記憶装置１は、ホストシステム１２と記憶する外部データの授受を行なうためのものであり、ホストシステムからメディアアドレスを受けてアドレス変換を行い、ホストシステムとの間で外部データを授受するためにデータ変換を行うデータ入出力部９と、データ入出力部９が変換したアドレス信号に応じてデータ授受を行うフラッシュメモリ１０とを含む。データ入出力部９はフラッシュメモリ１０が入出力するデータと外部データとの間のデータの変換を行う。
【手続補正２】
【補正対象書類名】明細書
【補正対象項目名】０１２６
【補正方法】変更
【補正の内容】
【０１２６】
尚、説明の便宜のため、図２７にはバッファメモリ５４が記載されている。バッファメモリ５４は、ＳＣカウンタ７６の計数値９ビットをアドレス信号ＡＤＲとして受け、ライトセクタイネーブル信号ＷＳＥ♯をアウトプットイネーブル信号／ＯＥ♯として受け、ゲート回路７８の出力をライトイネーブル信号／ＷＥ♯として受けこれらに応答してフラッシュメモリからのデータ入力ＤＩを受けて保持し、またはフラッシュメモリへデータ出力ＤＯを送出する。
【手続補正３】
【補正対象書類名】明細書
【補正対象項目名】図１７
【補正方法】変更
【補正の内容】
【図１７】  メディアセクタアドレスをフラッシュセクタアドレスとスター
トカラムアドレスとに変換を説明するための図である。
【手続補正４】
【補正対象書類名】明細書
【補正対象項目名】図１８
【補正方法】変更
【補正の内容】
【図１８】  スタートカラムアドレスとメディアセクタアドレスの下位２ビ
ットとの関係を示す図である。
【手続補正書】
【提出日】平成16年8月31日(2004.8.31)
【手続補正１】
【補正対象書類名】明細書
【補正対象項目名】請求項３
【補正方法】変更
【補正の内容】
【請求項３】
冊子状の媒体の最上位のページに接する高摩擦部材の突出部を有するめくりローラと、
該めくりローラに隣接するアイドルローラと、
前記めくりローラに媒体を押し付ける押し付けフィードローラとを備え、
前記アイドルローラと前記押し付けフィードローラにより前記媒体を押し付けた状態で停止状態を保ち、前記めくりローラが回転すると、前記突出部が冊子状の媒体の最上位のページに接し、このページをめくることを特徴とする媒体処理装置。
【手続補正２】
【補正対象書類名】明細書
【補正対象項目名】請求項５
【補正方法】変更
【補正の内容】
【請求項５】
冊子状の媒体の最上位のページに接するめくりローラと、
前記めくりローラに媒体を押し付ける押し付けフィードローラとを備え、
冊子状の媒体のページめくりを行う部分の厚みに応じて、前記押し付けフィードローラが媒体をめくりローラに押し付ける押し付け位置を変化させることを特徴とする媒体処理装置。
【手続補正３】
【補正対象書類名】明細書
【補正対象項目名】０００６
【補正方法】変更
【補正の内容】
【０００６】
本発明の請求項２に係る発明は、上述した請求項１に係る媒体処理装置において、前記オープンガイドとめくりローラの間に、該めくりローラによりはね上げられたページが入る隙間を開けたものである。
本発明の請求項３に係る発明は、冊子状の媒体の最上位のページに接する高摩擦部材の突出部を有するめくりローラと、該めくりローラに隣接するアイドルローラと、前記めくりローラに媒体を押し付ける押し付けフィードローラとを備え、前記アイドルローラと前記押し付けフィードローラにより前記媒体を押し付けた状態で停止状態を保ち、前記めくりローラが回転すると、前記突出部が冊子状の媒体の最上位のページに接し、このページをめくることを特徴とする媒体処理装置である。
【手続補正４】
【補正対象書類名】明細書
【補正対象項目名】０００８
【補正方法】変更
【補正の内容】
【０００８】
本発明の請求項５に係る発明は、冊子状の媒体の最上位のページに接するめくりローラと、前記めくりローラに媒体を押し付ける押し付けフィードローラとを備え、冊子状の媒体のページめくりを行う部分の厚みに応じて、前記押し付けフィードローラが媒体をめくりローラに押し付ける押し付け位置を変化させることを特徴とする媒体処理装置である。
【手続補正５】
【補正対象書類名】明細書
【補正対象項目名】００５５
【補正方法】変更
【補正の内容】
【００５５】
主制御部３５は、スリットセンサ１２の出力から、第１のエッジ１１ａを検知すると、ＤＣモータ３６の回転を停止する。これにより、ターンページローラアッセンブリ５はホームポジションで停止する。
なお、ターンページローラアッセンブリ５を駆動するモータはＤＣモータ３６を用いるので、ターンページローラアッセンブリ５を矢印Ａ方向に回転させて、スリットセンサ１２が第１のエッジ部１１ａを検知することで、ＤＣモータ３６の回転を停止させると、完全に停止するまでの時間が若干かかるので、第１のエッジ部１１ａと突出部１０ａの位置関係は、スリットセンサ１２を第１のエッジ部１１ａが通過してから、所定の角度回転してから、突出部１０ａがほぼ真上を向くような位置関係としてある。
【手続補正６】
【補正対象書類名】明細書
【補正対象項目名】００５６
【補正方法】変更
【補正の内容】
【００５６】
また、スリットディスク１１は、２個のエッジ部１１ａ，１１ｂと１個のスリット１１ｃを設けた形状とすることで、スリットセンサ１２の出力は、１方向の回転の中で、ＯＮからＯＦＦ、ＯＦＦからＯＮ、短いＯＦＦの３通りのみであり、主制御部３５は、スリットの数の計数や、スリット間隔の比較を行うことなく、ターンページローラアッセンブリ５の位置を管理できる。
【手続補正７】
【補正対象書類名】図面
【補正対象項目名】図９
【補正方法】変更
【補正の内容】
【図９】
2000293735.tif 000001
【手続補正書】
【提出日】平成17年11月4日(2005.11.4)
【手続補正１】
【補正対象書類名】明細書
【補正対象項目名】特許請求の範囲
【補正方法】変更
【補正の内容】
【特許請求の範囲】
【請求項１】
内部にガイドワイヤを挿通可能な空間を有する管状部材と、該管状部材の軸方向全長に延びるスリットを有することを特徴とするガイドワイヤ・インサータ。
【請求項２】
前記スリットは、横断面においてほぼＶ字状である請求項１に記載のガイドワイヤ・インサータ。
【請求項３】
前記Ｖ字状の根元部分は密着しておらず、開いた状態にある請求項１に記載のガイドワイヤ・インサータ。
【請求項４】
前記Ｖ字状の根元部分は密着している請求項１に記載のガイドワイヤ・インサータ。
【手続補正書】
【提出日】平成16年12月17日(2004.12.17)
【手続補正１】
【補正対象書類名】明細書
【補正対象項目名】０００４
【補正方法】変更
【補正の内容】
【０００４】
また、記録部の耐薬品性などを高めるために、感熱記録層に１，１−ビス（２−メチル−４−ヒドロキシ−５−ｔｅｒｔ−ブチルフェニル）ブタンなどのヒンダードフェノール系化合物を含有させた感熱記録体は、例えば下記の特許文献５に記載され、一般式（１）で示される化合物を含有させた感熱記録体は特許文献６に記載されているが、記録部の耐水保存性に問題がある。
【手続補正２】
【補正対象書類名】明細書
【補正対象項目名】００２２
【補正方法】変更
【補正の内容】
【００２２】
１，１−ビス（２−メチル−４−ヒドロキシ−５−ｔｅｒｔ−ブチルフェニル）ブタンの使用比率としては、ロイコ染料（Ａ）とロイコ染料（Ｂ）との合計使用量に対して１０〜３００重量％程度が好ましい。
【手続補正３】
【補正対象書類名】明細書
【補正対象項目名】００６０
【補正方法】変更
【補正の内容】
【００６０】
〔記録部の濃度および発色色調〕
上記記録後の記録部の濃度および未記録部をマクベス濃度計〔マクベス社製、ＲＤ−９１４型、ビジュアルフィルター〕にて測定した。
発色色調を目視判定した。
【手続補正書】
【提出日】平成17年1月21日(2005.1.21)
【手続補正１】
【補正対象書類名】明細書
【補正対象項目名】特許請求の範囲
【補正方法】変更
【補正の内容】
【特許請求の範囲】
【請求項１】
射出成形により成形品を形成する金型装置において、
キャビティの少なくとも一部分を形成し、該キャビティの形成部分の熱伝導率が位置の違いによって連続的に変化している該金型駒を備えたことを特徴とする金型装置。
【請求項２】
前記金型駒は、該金型駒を構成する素材の空孔率が前記位置の違いによって連続的に変化していることを特徴とする請求項１に記載の金型装置。
【請求項３】
前記金型駒を構成する素材の空孔率の変化の割合が、成形品における位置の違いに基づく肉厚の変化の割合と関係していることを特徴とする請求項２に記載の金型装置。
【請求項４】
成形品の肉厚が位置の違いに応じて薄くなっているときに、前記素材の空孔率が該位置の違いに応じて大きくなるように変化していることを特徴とする請求項３に記載の金型装置。
【請求項５】
前記金型駒を構成する素材の空孔率が、該金型駒における前記キャビティの形成部分である同一面内における前記位置の違いによって連続的に変化していることを特徴とする請求項２に記載の金型装置。
【請求項６】
前記金型駒を構成する素材の空孔率が、前記キャビティに射出される樹脂から該金型駒へ伝導する熱の伝導方向に対して垂直な方向に連続的に変化していることを特徴とする請求項２に記載の金型装置。
【請求項７】
前記金型駒が、熱伝導率の異なる少なくとも２種類以上の物質から構成されていることを特徴とする請求項１に記載の金型装置。
【請求項８】
前記物質は、銅、銀、白金、及び金のうちのいずれか少なくとも１種類以上の金属とステンレス鋼とであることを特徴とする請求項７に記載の金型装置。
【請求項９】
前記物質は、セラミックスとステンレス鋼とであることを特徴とする請求項７に記載の金型装置。
【請求項１０】
前記金型駒は空孔部を有して構成されており、該空孔部の厚みが前記位置の違いによって連続的に変化していることを特徴とする請求項１に記載の金型装置。
【請求項１１】
前記空孔部の厚みの変化の割合が、成形品における位置の違いに基づく肉厚の変化の割合と関係していることを特徴とする請求項１０に記載の金型装置。
【請求項１２】
成形品の肉厚が位置の違いに応じて薄くなっているときに、前記空孔部の厚みが該位置の違いに応じて大きくなるように変化していることを特徴とする請求項１１に記載の金型装置。
【請求項１３】
前記金型駒を構成する空孔部の厚みが、該金型駒における前記キャビティの形成部分である同一面内における前記位置の違いによって連続的に変化していることを特徴とする請求項１０に記載の金型装置。
【請求項１４】
前記金型駒を構成する空孔部の厚みが、前記キャビティに射出される樹脂から該金型駒へ伝導する熱の伝導方向に対して垂直な方向に連続的に変化していることを特徴とする請求項１０に記載の金型装置。
【請求項１５】
前記金型駒には、前記キャビティの形成部分に無電解ニッケルめっきが施されていることを特徴とする請求項１から１４までのうちのいずれか１項に記載の金型装置。
【請求項１６】
前記金型装置に備えられる中子及び型板、並びに該金型装置を成形機へ取り付ける取り付け板のうちのすくなくとも１以上のものが、位置の違いによる熱伝導率の連続的な変化を呈している部分を有していることを特徴とする請求項１から１５までのうちのいずれか１項に記載の金型装置。
【請求項１７】
射出成形型として用いられる金型装置を製造するときに、
レーザビームの一回の走査の間で該レーザビームの照射強度を連続的に変化させながら該レーザビームの走査を行い、
前記走査がされているレーザビームを金属粉末材料からなる粉末層に照射して該粉末層を焼結することによって硬化層を形成し、
前記硬化層を積層することによって前記金型装置を構成する部品を形成する、
ことを特徴とする金型装置の製造方法。
【請求項１８】
射出成形型として用いられる金型装置を製造するときに、
レーザビームを走査位置の違いに応じて断続させながら該レーザビームの走査を行い、
前記走査がされているレーザビームを金属粉末材料からなる粉末層に照射して該粉末層を焼結することによって硬化層を形成し、
前記硬化層を積層することによって前記金型装置を構成する部品を形成する、
ことを特徴とする金型装置の製造方法。
【手続補正書】
【提出日】平成16年5月10日(2004.5.10)
【手続補正１】
【補正対象書類名】明細書
【補正対象項目名】発明の名称
【補正方法】変更
【補正の内容】
【発明の名称】プリント装置及びその制御方法
【手続補正２】
【補正対象書類名】明細書
【補正対象項目名】特許請求の範囲
【補正方法】変更
【補正の内容】
【特許請求の範囲】
【請求項１】
所定の容量のインクを収容するインクタンクと、
該インクタンクからインクの供給を受けてプリントを行なうインクジェットヘッドと、
前記インクタンク内のインクの残量を検出する残量検出手段と、
前記インクタンク内のインクの蒸発量を推定する蒸発量推定手段と、
前記残量検出手段により検出されたインクの残量と、前記蒸発量推定手段により推定されたインクの蒸発量とに基づいて、インクの濃度を算出する演算手段と、
該演算手段により算出されたインクの濃度に基づいて、プリント時の濃度補正を行なう濃度補正手段とを具備することを特徴とするプリント装置。
【請求項２】
前記蒸発量推定手段は、環境温度、環境湿度、前回のプリント時からの経過時間の少なくとも１つに基づいてインクの蒸発量を推定することを特徴とする請求項１に記載のプリント装置。
【請求項３】
前記演算手段は、プリントを行なう直前のインク濃度を算出することを特徴とする請求項１に記載のプリント装置。
【請求項４】
前記プリント装置は、インクを収容するインク収容部を備えた交換部材を着脱可能に装着可能であり、前記インクタンクは前記インク収容部から供給されたインクを収容することを特徴とする請求項１に記載のプリント装置。
【請求項５】
前記インクタンクは、前記プリント装置により記録可能なプリント媒体の少なくとも１枚に画像記録が可能な量のインクを収容可能であることを特徴とする請求項４に記載のプリント装置。
【請求項６】
前記プリント媒体へのプリントを行なう前に、前記インク収容部から前記インクタンクへインクの供給を行なう制御手段をさらに具備し、前記演算手段は、プリントの前に、前記インク収容部から前記インクタンクへインクの供給を行なったときのインクの濃度を算出することを特徴とする請求項５に記載のプリント装置。
【請求項７】
前記交換部材は、プリント媒体を収容可能であることを特徴とする請求項４乃至６のいずれか１項に記載のプリント装置。
【請求項８】
前回のプリント時からの経過時間が所定時間を超えていない場合には、前記濃度補正手段による濃度の補正を行なわないことを特徴とする請求項１に記載のプリント装置。
【請求項９】
所定の容量のインクを収容するインクタンクと、該インクタンクからインクの供給を受けてプリントを行なうインクジェットヘッドとを備えるプリント装置を制御するためのプリント装置の制御方法であって、
前記インクタンク内のインクの残量を検出する残量検出工程と、
前記インクタンク内のインクの蒸発量を推定する蒸発量推定工程と、
前記残量検出工程において検出されたインクの残量と、前記蒸発量推定工程において推定されたインクの蒸発量とに基づいて、インクの濃度を算出する演算工程と、
該演算工程において算出されたインクの濃度に基づいて、プリント時の濃度補正を行なう濃度補正工程とを具備することを特徴とするプリント装置の制御方法。
【請求項１０】
前記蒸発量推定工程では、環境温度、環境湿度、前回のプリント時からの経過時間の少なくとも１つに基づいてインクの蒸発量を推定することを特徴とする請求項９に記載のプリント装置の制御方法。
【請求項１１】
前記演算工程では、プリントを行なう直前のインク濃度を算出することを特徴とする請求項９に記載のプリント装置の制御方法。
【手続補正書】
【提出日】平成16年12月1日(2004.12.1)
【手続補正１】
【補正対象書類名】明細書
【補正対象項目名】図面の簡単な説明
【補正方法】変更
【補正の内容】
【図面の簡単な説明】
【図１】
本発明の粘着ロールクリーナの一実施形態を示す斜視図である。
【図２】
図１におけるII−II線矢視断面図である。
【図３】
図１に示す粘着ロールクリーナにおける粘着シートを展開して示す平面図である。
【図４】
図３に示す粘着シートの製造方法を示す説明図である。
【図５】
粘着シートの他の形態を示す平面図（図３相当図）である。
【符号の説明】
１ 粘着ロールクリーナ
２ 巻芯
３ 粘着シート
４ 非粘着部
６ しるし
Ａ 粘着部
Ｇ 隙間
【手続補正書】
【提出日】平成16年8月17日(2004.8.17)
【手続補正１】
【補正対象書類名】特許請求の範囲
【補正対象項目名】全文
【補正方法】変更
【補正の内容】
【特許請求の範囲】
【請求項１】
キャラクタを含む画像を表示するカラー画像表示部と、パチンコ機の遊技状態を制御する第１の制御手段と、該第１の制御手段からの指令信号を受けて前記カラー画像表示部に表示すべき画像を表示するように制御する第２の制御手段と、を備えたパチンコ機において、
前記第１の制御手段は、遊技状態を制御する第１の演算処理手段と、遊技状態を制御するためのデータを記憶している第１の不揮発記憶手段と、遊技状態を制御するためのデータを一時的に記憶する第１の揮発記憶手段と、を含み、前記指令信号は、前記第１の演算処理手段の前記第２の制御手段に対する割り込みにより読み込まれるものであり、
前記第２の制御手段は、前記カラー画像表示部に画像を表示させるための制御用プログラムを記憶している第２の不揮発記憶手段と、前記カラー画像表示部の制御用データを一時的に記憶する第２の揮発記憶手段と、該第２の不揮発記憶手段にアクセスして制御用プログラムを随時読み出し、その読み出したプログラムに従って画像表示用信号を出力する第２の演算処理装置と、前記カラー画像表示部により表示されるキャラクタ画像データを記憶している第３の不揮発記憶手段と、該第３の不揮発記憶手段に記憶されたキャラクタ画像データが随時読み出されて展開されている第３の揮発記憶手段と、該第３の揮発記憶手段に展開されているキャラクタ画像データを前記カラー画像表示部に表示させる表示制御を行なう、ビデオ表示プロセッサからなる映像制御部と、前記映像制御部と前記カラー画像表示部を接続するＤ／Ａコンバータとを含み、
前記映像制御部が前記キャラクタを含む画像を前記カラー画像表示部に表示する制御を行なっているときに、前記第２の演算処理装置は、前記第２の揮発記憶手段に記憶されている指令信号に基づき前記第２の不揮発記憶手段にアクセスして、当該映像制御部によって表示制御が行なわれている前記画像から切換えられる次の画像を前記カラー画像表示部に表示制御するための前記制御用プログラムを読み出すものであり、
前記第３の不揮発記憶手段には、前記カラー画像表示部に表示されるキャラクタ画像データとしてキャラクタの顔の画像を表示するための第１の画像データと、前記キャラクタの顔の輪郭に合成表示される複数種類の口または目の画像を表示するために、それぞれに対応した複数種類の第２の画像データと、が記憶され、
前記第１の画像データを保持したままで、前記第２の画像データが異なった種類のデータと順次切り換えて読み出される部分動作表示制御が行なわれることによって顔の画像が変化しない状態で口または目の画像が連続的に変化する部分動画表示を行なう部分動作表示制御手段を前記第２の制御手段に設けたことを特徴とする遊技機。
【手続補正２】
【補正対象書類名】明細書
【補正対象項目名】０００４
【補正方法】変更
【補正の内容】
【０００４】
本発明における図柄表示装置は、上記課題を解決するために、キャラクタを含む画像を表示するカラー画像表示部と、パチンコ機の遊技状態を制御する第１の制御手段と、該第１の制御手段からの指令信号を受けて前記カラー画像表示部に表示すべき画像を表示するように制御する第２の制御手段と、を備えた。
【手続補正３】
【補正対象書類名】明細書
【補正対象項目名】０００５
【補正方法】変更
【補正の内容】
【０００５】
また、本発明において、前記第１の制御手段は、遊技状態を制御する第１の演算処理手段と、遊技状態を制御するためのデータを記憶している第１の不揮発記憶手段と、遊技状態を制御するためのデータを一時的に記憶する第１の揮発記憶手段と、を含み、前記指令信号は、前記第１の演算処理手段の前記第２の制御手段に対する割り込みにより読み込まれるものである。
【手続補正４】
【補正対象書類名】明細書
【補正対象項目名】０００６
【補正方法】変更
【補正の内容】
【０００６】
また、本発明において、前記第２の制御手段は、前記カラー画像表示部に画像を表示させるための制御用プログラムを記憶している第２の不揮発記憶手段と、前記カラー画像表示部の制御用データを一時的に記憶する第２の揮発記憶手段と、該第２の不揮発記憶手段にアクセスして制御用プログラムを随時読み出し、その読み出したプログラムに従って画像表示用信号を出力する第２の演算処理装置と、前記カラー画像表示部により表示されるキャラクタ画像データを記憶している第３の不揮発記憶手段と、該第３の不揮発記憶手段に記憶されたキャラクタ画像データが随時読み出されて展開されている第３の揮発記憶手段と、該第３の揮発記憶手段に展開されているキャラクタ画像データを前記カラー画像表示部に表示させる表示制御を行なう、ビデオ表示プロセッサからなる映像制御部と、前記映像制御部と前記カラー画像表示部を接続するＤ／Ａコンバータとを含む。
【手続補正５】
【補正対象書類名】明細書
【補正対象項目名】０００７
【補正方法】変更
【補正の内容】
【０００７】
また、本発明において、前記映像制御部が前記キャラクタを含む画像を前記カラー画像表示部に表示する制御を行なっているときに、前記第２の演算処理装置は、前記第２の揮発記憶手段に記憶されている指令信号に基づき前記第２の不揮発記憶手段にアクセスして、当該映像制御部によって表示制御が行なわれている前記画像から切換えられる次の画像を前記カラー画像表示部に表示制御するための前記制御用プログラムを読み出すものである。
【手続補正６】
【補正対象書類名】明細書
【補正対象項目名】０００８
【補正方法】変更
【補正の内容】
【０００８】
また、本発明において、前記第３の不揮発記憶手段には、前記カラー画像表示部に表示されるキャラクタ画像データとしてキャラクタの顔の画像を表示するための第１の画像データと、前記キャラクタの顔の輪郭に合成表示される複数種類の口または目の画像を表示するために、それぞれに対応した複数種類の第２の画像データと、が記憶される。
【手続補正７】
【補正対象書類名】明細書
【補正対象項目名】０００９
【補正方法】変更
【補正の内容】
【０００９】
また、本発明において、前記第１の画像データを保持したままで、前記第２の画像データが異なった種類のデータと順次切り換えて読み出される部分動作表示制御が行なわれることによって顔の画像が変化しない状態で口または目の画像が連続的に変化する部分動画表示を行なう部分動作表示制御手段を前記第２の制御手段に設けた。
【手続補正８】
【補正対象書類名】明細書
【補正対象項目名】００１０
【補正方法】変更
【補正の内容】
【００１０】
本発明のパチンコ機における図柄表示装置は、前記構成を備えることにより、詳細な図形や絵柄を鮮明に表示させることができ、多種類の色彩を表示でき、色彩を切り替えに際して、遊技者に円滑に視認させることが可能であり、パチンコ機の趣向性をよりいっそう高めることができる。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正書】
【提出日】平成16年11月24日(2004.11.24)
【手続補正１】
【補正対象書類名】明細書
【補正対象項目名】０００３
【補正方法】変更
【補正の内容】
【０００３】
ボール内にあるこれらの製品を塗布するために、櫛又は薄いブラシのいずれか、又はそれら２つの組み合わせからなる塗布装置が知られている。こういった装置は例えば、ＦＲ−Ａ−２７６４４８８号及びＵＳ−Ａ−４６９１７２０号の文献に記載されている。
こういった装置を使用する際、頭髪の外側つまり表面から頭髪を処置することとなることにより特に、これら装置は通常同様の欠点を持つ。製品は基本的に毛束の表面に付着し、内側にはあまり付着しない。アプリケータは毛束に対して根元から毛先へと連続的に移動するが、この移動中、使用者はアプリケータを持ち上げ、頭部の湾曲に沿った経路から離してしまいがちであることが経験により示されている。このため、複数の毛髪がアプリケータから離れ、頭髪に戻ってしまう。よってこれらの毛髪は、毛染め製品の場合、染色に失敗する。したがって得られる結果は満足できるものではない。
特開２００３−３３９４２４号公報は、本出願の優先日より前に出願され本出願の優先日後に公開された出願にかかる公報であり、指の大きさにかかわらず指先にフィットさせて毛髪を梳くことができる染毛ブラシを開示したものである。該公報に開示された染毛ブラシは１つの指に装着される点において本発明と共通するが、塗布手段が圧縮可能な容器を備えていない点などにおいて本発明と相違する。
【特許文献１】ＦＲ−Ａ−２７６４４８８号
【特許文献２】ＵＳ−Ａ−４６９１７２０号
【特許文献３】特開２００３−３３９４２４号公報
【手続補正書】
【提出日】平成16年11月11日(2004.11.11)
【手続補正１】
【補正対象書類名】特許請求の範囲
【補正対象項目名】全文
【補正方法】変更
【補正の内容】
【特許請求の範囲】
【請求項１】
側壁と天井壁とを備え内部に浴槽が設置される如く構成される浴室であって、前記浴槽のほとんど静止することのない揺らいだ状態の水面にスポットライトを照射し、該水面で反射された揺らいだ状態の反射光を所望の側壁や天井壁に写し出すように照射方向が設定されたスポットライト照明装置を前記側壁及び又は天井壁に配設したことを特徴とする浴室。
【請求項２】
前記スポットライトをそれぞれ異なる方向から前記浴槽の水面に照射する複数のスポットライト照明装置が配設されていることを特徴とする請求項１に記載の浴室。
【請求項３】
前記浴槽が半身浴部分と反半身浴部分とを備え、スポットライトが前記半身浴部分を照射し所望の側壁や天井壁に反射光を写し出す一方のスポットライト照明装置と、スポットライトが前記反半身浴部分を照射し所望の側壁や天井壁に反射光を写し出す他方のスポットライト照明装置とが配設されていることを特徴とする請求項１または２に記載の浴室。
【請求項４】
前記一方のスポットライト照明装置と他方のスポットライト照明装置との一対のスポットライトで、前記浴槽内の略全域が照射されることを特徴とする請求項３に記載の浴室。
【請求項５】
前記スポットライト照明装置が浴槽上方の天井壁に配設されて、そのスポットライトが下方の水面に向けて照射されることを特徴とする請求項１ないし４のいずれかに記載の浴室。
【請求項６】
前記スポットライト照明装置は、ガラスが屋外側に位置して側壁に設けられた出窓部分に配設されていることを特徴とする請求項１に記載の浴室。
【請求項７】
前記スポットライト照明装置は、側壁及び又は天井壁に沿って移動可能に配設されていることを特徴とする請求項１に記載の浴室。
【請求項８】
前記スポットライト照明装置が点灯した際に浴室用照明装置が自動的に減灯もしくは消灯し、スポットライト照明装置が消灯した際に浴室用照明装置が所定の明るさに自動復帰することを特徴とする請求項１ないし７のいずれかに記載の浴室。
【手続補正２】
【補正対象書類名】明細書
【補正対象項目名】０００５
【補正方法】変更
【補正の内容】
【０００５】
かかる目的を達成すべく、本発明のうち請求項１に記載の発明は、側壁と天井壁とを備え内部に浴槽が設置される如く構成される浴室であって、前記浴槽のほとんど静止することのない揺らいだ状態の水面にスポットライトを照射し、該水面で反射された揺らいだ状態の反射光を所望の側壁や天井壁に写し出すように照射方向が設定されたスポットライト照明装置を前記側壁及び又は天井壁に配設したことを特徴とする。
【手続補正３】
【補正対象書類名】明細書
【補正対象項目名】０００７
【補正方法】変更
【補正の内容】
【０００７】
また、請求項２に記載の発明は、前記スポットライトをそれぞれ異なる方向から前記浴槽の水面に照射する複数のスポットライト照明装置が配設されていることを特徴とし、請求項３に記載の発明は、前記浴槽が半身浴部分と反半身浴部分とを備え、スポットライトが前記半身浴部分を照射し所望の側壁や天井壁に反射光を写し出す一方のスポットライト照明装置と、スポットライトが前記反半身浴部分を照射し所望の側壁や天井壁に反射光を写し出す他方のスポットライト照明装置とが配設されていることを特徴とする。さらに、請求項４に記載の発明は、前記一方のスポットライト照明装置と他方のスポットライト照明装置との一対のスポットライトで、前記浴槽内の略全域が照射されることを特徴とする。また、請求項５に記載の発明は、前記スポットライト照明装置が浴槽上方の天井壁に配設されて、そのスポットライトが下方の水面に向けて照射されることを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１８
【補正方法】削除
【補正の内容】
【手続補正書】
【提出日】平成17年7月12日(2005.7.12)
【手続補正１】
【補正対象書類名】明細書
【補正対象項目名】特許請求の範囲
【補正方法】変更
【補正の内容】
【特許請求の範囲】
【請求項１】
切刃部分およびバイト本体部分を備える切削工具であって、
前記バイト本体部分は、２つ以上のバイト構成部品を有し、
一方の第１バイト構成部品は、前記切刃部分を支持する切刃部支持面およびバイト柄上面側部を含み、
他方の第２バイト構成部品は、バイト柄底面側部を含み、
前記第１および第２バイト構成部品の相互に対向する面の少なくとも一部分に、前記バイト本体部分よりも弾性率が低くかつ減衰率の高い材料からなる介在部材が配設されることを特徴とする切削工具。
【請求項２】
当該切削工具の長手方向に垂直な断面形状に関し、前記第１および第２バイト構成部品間の対向する面は、当該切削工具の底面に対して交差する方向に延びる傾斜面を含み、前記傾斜面の領域にも前記介在部材が配設されることを特徴とする、請求項１に記載の切削工具。
【請求項３】
当該切削工具の長手方向に垂直な断面形状に関し、前記第１および第２バイト構成部品間の対向する面は、当該切削工具の底面に対して約４５度〜約１３５度傾斜する領域と、当該切削工具の底面に対して平行な領域とを含む、請求項２に記載の切削工具。
【請求項４】
当該切削工具の長手方向に垂直な断面形状に関し、前記第１および第２バイト構成部品間の対向する面のいずれか一方の面には、いずれか他方の面に向かう凸面形状が設けられ、いずれか他方の面には、前記凸面形状を受け入れる凹面形状が設けられ、
前記第１および第２バイト構成部品間の対向する面の内部領域に前記介在部材が配設され、外部領域を空隙とすることを特徴とする、請求項１〜３のいずれかに記載の切削工具。
【請求項５】
前記介在部材は、前記第１および第２バイト構成部品間の対向する面の外側領域に配置される第１介在部材と、内側領域に配置される第２介在部材とを含み、
前記第１介在部材は、前記第２介在部材よりも、耐熱性および耐水性の高い部材が用いられることを特徴とする、請求項１〜４のいずれかに記載の切削工具。
【請求項６】
前記第２バイト構成部品は、バイト頭部の底面側に、当該切削工具が固定される工作機械台座部によって支持される突起領域を含むことを特徴とする、請求項１〜５のいずれかに記載の切削工具。
【請求項７】
切刃部分およびバイト本体部分を備える切削工具であって、
前記バイト本体は、２つ以上のバイト構成部品を有し、
一方の第１バイト構成部品は、前記切刃部分を支持する切刃部支持面およびバイト柄部を含み、
他方の第２バイト構成部品は、前記バイト柄部の少なくとも底面側および上面側に配置される囲い壁を含み、
前記第１および第２バイト構成部品の相互に対向する面の少なくとも一部分に、前記バイト本体部分よりも弾性率が低くかつ減衰率の高い材料からなる介在部材が配設され、
前記上面側に配置される前記囲い壁側から、前記第２バイト構成部品を前記第１バイト構成部品に押圧させることを特徴とする切削工具。
【請求項８】
当該切削工具の長手方向に垂直な断面形状に関し、前記第１および第２バイト構成部品間の対向する面は、当該切削工具の底面に対して約４５度〜約１３５度傾斜する方向に延びる傾斜面を含み、前記傾斜面の領域にも前記介在部材が配設されることを特徴とする、請求項７に記載の切削工具。
【手続補正２】
【補正対象書類名】明細書
【補正対象項目名】００６０
【補正方法】変更
【補正の内容】
【００６０】
（実施例５）
実施例５における切削工具は、図６の実施の形態４に対応するものである。切削工具１００の切刃支持下面側部１１１ａに突起領域としての補強部品４０１がボルト４０２により固定されている。この補強部品４０１は工作機械台座部６０１に接しており、バイト頭部が大きくたわむことを防ぐ。
【手続補正３】
【補正対象書類名】明細書
【補正対象項目名】符号の説明
【補正方法】変更
【補正の内容】
【符号の説明】
１００，２００，３００Ａ，３００Ｂ，４００Ａ，４００Ｂ，５００  切削工具、１０３，５０３  切刃部分、１０３ａ，５０３ａ  切刃部支持面、１０１，５０２  バイト本体部分、１１０  第１バイト構成部品、１１１  第２バイト構成部品、１１０ａ  バイト頭上面側部、１１０ｂ  バイト柄上面側部、１１１ａ  バイト頭下面側部、１１１ｂ  バイト柄下面側部、１０４  介在部材，第２介在部材、２００Ｔ，５０１Ｔ  底面、２１１，２１２，２１３，２２１，２２２，２２３  領域、３１０，３３０，３２０  凹部、３０４  第１介在部材、４０１，４０３  補強部品、４０２  ボルト、５０２ａ  バイト柄部、５０２ｂ  バイト頭部、５０１  外側柄部、５０１Ｕ  上面、５０５  固定手段、６０１  工作機械台座部。
【手続補正書】
【提出日】平成17年9月20日(2005.9.20)
【手続補正１】
【補正対象書類名】明細書
【補正対象項目名】特許請求の範囲
【補正方法】変更
【補正の内容】
【特許請求の範囲】
【請求項１】ポリフッ化ビニリデン系樹脂を含む多孔質膜であって、ポリオキシアルキレン構造、脂肪酸エステル構造及び水酸基を有する界面活性剤を含んでいることを特徴とする多孔質膜。
【請求項２】ポリオキシアルキレンがポリオキシエチレンである、請求項１に記載の多孔質膜。
【請求項３】ポリフッ化ビニリデン系樹脂を含む多孔質膜であって、前記界面活性剤を付与する前の５０ｋＰａ、２５℃における透水量をＦ０、前記界面活性剤を付与し、乾燥した後の５０ｋＰａ、２５℃における透水量をＦとした場合に、式（Ｆ／Ｆ０）×１００［％］で求められる透水量保持率が８７％以上である、請求項１又は２に記載の多孔質膜。
【請求項４】ポリフッ化ビニリデン系樹脂を含む多孔質膜を、ポリオキシアルキレン構造、脂肪族エステル構造及び水酸基を有する界面活性剤の水系溶液に浸漬することを特徴とする多孔質膜の製造方法。
【請求項５】水系溶液中に含まれる界面活性剤が前記水系溶液に対して０．０５〜３重量％である請求項４に記載の多孔質膜の製造方法。
【請求項６】原液流入口および透過液流出口を備えたケーシングと、そのケーシングに収容された、請求項１〜３のいずれかに記載の多孔質膜、または、請求項４または５に記載の方法により製造された多孔質膜とを有する多孔質膜モジュール。
【請求項７】請求項６に記載の多孔質膜モジュールと、この多孔質膜モジュールの上流側に設けられた原液加圧手段またはこの多孔質膜モジュールの下流側に設けられた透過液吸引手段とを有する液体分離装置。
【請求項８】請求項７に記載の液体分離装置を用いて原水から透過水を得る透過水の製造方法。
【手続補正２】
【補正対象書類名】明細書
【補正対象項目名】００１０
【補正方法】変更
【補正の内容】
【００１０】
【課題を解決するための手段】
本発明は、ポリフッ化ビニリデン系樹脂を含む多孔質膜であって、ポリオキシアルキレン構造、脂肪酸エステル構造及び水酸基を有する界面活性剤を含んでいる多孔質膜を特徴とするものである。ここで、ポリオキシアルキレンがポリオキシエチレンであることや、中空糸膜もしくは平膜であることが好ましい。また、前記界面活性剤を付与する前の５０ｋＰａ、２５℃における透水量をＦ０、前記界面活性剤を付与し、乾燥した後の５０ｋＰａ、２５℃における透水量Ｆとした場合に、式（Ｆ／Ｆ０）×１００［％］で求められる透水量保持率が８７％以上であることも好ましい。
そして、本発明の多孔質膜は、ポリフッ化ビニリデン系樹脂を含む多孔質膜を、ポリオキシアルキレン構造、脂肪族エステル構造及び水酸基を有する界面活性剤の水系溶液に浸漬することで得られ、水系溶液中に含まれる界面活性剤が前記水系溶液に対して０．０５〜３重量％であることが好ましい。
【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】  基板上に塗布される液体材料を滴下するためのノズルを有する塗布装置であって、
前記ノズルの滴下口の端面及び前記滴下口近傍の内壁の少なくともいずれかが平滑化され、疎水化されている
ことを特徴とする塗布装置。
【請求項２】  請求項１記載の塗布装置において、
前記ノズルの前記滴下口の端面及び前記滴下口近傍の内壁の少なくともいずれかは、研磨加工されている
ことを特徴とする塗布装置。
【請求項３】  請求項１記載の塗布装置において、
前記ノズルは、射出成形により作製されたものである
ことを特徴とする塗布装置。
【請求項４】  請求項１記載の塗布装置において、
前記ノズルは、加熱により塑性変形した後に再固化したものである
ことを特徴とする塗布装置。
【請求項５】  請求項１乃至４のいずれか１項に記載の塗布装置において、
前記ノズルの前記滴下口の端面及び前記滴下口近傍の内壁の少なくともいずれかには、疎水性被膜が形成されている
ことを特徴とする塗布装置。
【手続補正２】
【補正対象書類名】明細書
【補正対象項目名】０００８
【補正方法】変更
【補正の内容】
【０００８】
【課題を解決するための手段】
上記目的は、基板上に塗布される液体材料を滴下するためのノズルを有する塗布装置であって、前記ノズルの滴下口の端面及び前記滴下口近傍の内壁の少なくともいずれかが平滑化され、疎水化されていることを特徴とする塗布装置により達成される。
【手続補正３】
【補正対象書類名】明細書
【補正対象項目名】０００９
【補正方法】削除
【補正の内容】
【手続補正書】
【提出日】平成16年6月15日(2004.6.15)
【手続補正１】
【補正対象書類名】明細書
【補正対象項目名】０００２
【補正方法】変更
【補正の内容】
【０００２】
【従来の技術】
この種の気相流体を処理する除塵装置としては、ケーシング内に気相流体の処理経路を形成し、その処理経路に、気相流体と衝突するバフラーや、気相流体と接触して気相流体中に含まれるオイルミストや溶接ヒュームなどを布様濾材からなるフィルターで捕捉するものが従来より知られている（例えば、特許文献１参照）。
【手続補正２】
【補正対象書類名】明細書
【補正対象項目名】００３０
【補正方法】変更
【補正の内容】
【００３０】
〔旋回除塵部での除塵動作〕
上記の導風筒体２と外囲筒体３とを備えてなる旋回除塵部Ａ１では、図７に示すように、旋回流からの塵埃の除去が行われる。
この図７では、最も左側に図７（イ）として図示する側面視での旋回除塵部Ａ１の高さレベルに合わせて、同図（ロ）〜（ニ）に示すように、気相流体の速度変化の状態を示している。
【手続補正３】
【補正対象書類名】図面
【補正対象項目名】図７
【補正方法】変更
【補正の内容】
【図７】
2004202392.tif 000001